(57)【要約】【課題】  本印刷装置と通信可能であり、デジタル放送のデジタルデータの印刷を制御する画像処理装置において、印刷装置が使用不可能な場合でも、簡単かつ確実に印刷を行い得る画像処理装置を提供することを目的とする。【解決手段】  画像処理装置は、デジタル放送の映像データの印刷指示を受けたときに、印刷装置が使用可能であるかを判断する。印刷装置が使用不可能である場合、指示された映像データから作成した画像データと該画像データを印刷する旨を記述した印刷制御情報とを記憶する。印刷装置が使用可能になり次第、印刷制御情報をもとに印刷すべき画像データを特定し、印刷装置に送信する。【選択図】  図３
2007104485.tif 000002
【特許請求の範囲】
【請求項１】
印刷装置と通信可能であり、デジタル放送を受信する画像処理装置であって、
映像データの印刷指示を検知する印刷指示検知手段と、
前記印刷指示に応じて、デジタル放送の映像データから静止画像データを生成し、前記印刷装置に送信する印刷制御手段と、
前記静止画像データを記憶する記憶手段と、
前記印刷装置が使用可能であるか否かを検知する印刷装置検知手段とを有し、
前記印刷装置検知手段により前記印刷装置が使用不可能であると検知されたときは、前記静止画像データを送信せずに、前記静止画像データの印刷を指示する印刷制御情報を前記記憶手段に記憶させることを特徴とする画像処理装置。
【請求項２】
さらに、着脱可能な記憶媒体を装着する装着手段を有し、
前記印刷装置検知手段により前記印刷装置が使用不可能であると検知されたときは、前記静止画像データと該静止画像データの印刷を指示する印刷情報とを前記装着手段に装着されている記憶媒体に記録させることを特徴とする請求項１に記載の画像処理装置。
【請求項３】
印刷装置と通信可能であり、デジタル放送を受信する画像処理装置であって、
デジタル放送の映像データと、前記映像データに関連する静止画像データとを受信する受信手段と、
前記映像データの印刷指示を検知する印刷指示検知手段と、
前記印刷指示の検知のタイミングに応じて、前記受信手段により受信した静止画像データを前記印刷装置に送信することを特徴とする画像処理装置。
【請求項４】
印刷装置と通信可能であり、デジタル放送を受信する画像処理装置であって、
デジタル放送の映像データと、前記映像データに関連する静止画像データとを受信する受信手段と、
映像データの印刷指示を検知する印刷指示検知手段と、
前記印刷指示を検知してから所定時間以内に静止画像データを受信した場合は、該静止画像データを印刷装置に送信する印刷制御手段とを有することを特徴とする画像処理装置。
【請求項５】
前記印刷制御手段は、前記印刷指示を検知してから所定時間以内に静止画像データを受信しなかった場合は、前記印刷指示を受けた映像データから印刷用画像データを生成し、前記印刷装置に送信することを特徴とする請求項４に記載の画像処理装置。
【請求項６】
印刷装置と通信可能であり、デジタル放送を受信する画像処理装置であって、
デジタル放送の映像データと、前記映像データに関連する静止画像データとを受信する受信手段と、
映像データの印刷指示を検知する印刷指示検知手段と、
前記受信手段により静止画像データを受信してから所定時間以内に印刷指示を検知した場合は、該静止画像データを印刷装置に送信することを特徴とする画像処理装置。
【請求項７】
印刷装置と通信可能であり、デジタル放送を受信する画像処理装置であって、
映像データと、前記映像データに関連する静止画像データとを受信する受信手段と、
映像データの印刷指示を検知する印刷指示検知手段と、
前記印刷指示を検知したときの印刷指示情報と、前記受信手段により受信した静止画像データと映像データとを関連付けるための対応情報とを比較し、前記静止画像データを前記印刷装置に送信するかを判断する印刷制御手段とを有することを特徴とする画像処理装置。
【請求項８】
前記対応情報は、静止画像データに関連する映像データに関する情報であり、前記印刷指示情報は、印刷指示を受けた映像データに関する情報であることを特徴とする請求項６に記載の画像処理装置。
【請求項９】
前記対応情報は、静止画像データに関連する映像データの放送時間を示す情報であり、前記印刷指示情報は、印刷指示を受けた映像データの放送時間を示す情報であることを特徴とする請求項６に記載の画像処理装置。
【請求項１０】
前記印刷制御手段は、前記印刷指示を検知したときの印刷指示情報と、前記受信手段により受信した静止画像データと映像データとを対応付けるための対応情報とを比較し、前記印刷指示情報と前記対応情報との差が所定時間以内である場合は、前記静止画像データを前記印刷装置に送信することを特徴とする請求項８に記載の画像処理装置。
【請求項１１】
印刷装置と通信可能であり、デジタル放送データを受信する画像処理装置の制御方法であって、
映像データの印刷指示を検知する印刷指示検知工程と、
前記印刷指示に応じて、デジタル放送データから静止画像データを生成する印刷用画像データ生成工程と、
前記印刷装置が使用可能であるか否かを検知する印刷装置検知工程と、
前記印刷装置検知工程において、前記印刷装置が使用不可能であると検知されたときは、前記静止画像データを前記印刷装置に送信せずに、前記静止画像データの印刷を指示する印刷制御情報を記憶させる記憶工程を有することを特徴とする画像処理装置の制御方法。
【請求項１２】
印刷装置と通信可能であり、映像データと、前記映像データに関連する静止画像データとを含むデジタル放送を受信する画像処理装置の制御方法であって、
映像データの印刷指示を検知する印刷指示検知工程と、
前記印刷指示の検知のタイミングに応じて、静止画像データを前記印刷装置に送信する印刷制御工程とを有することを特徴とする画像処理装置の制御方法。
【請求項１３】
印刷装置と通信可能であり、映像データと、前記映像データに関連する静止画像データとを含むデジタル放送を受信する画像処理装置の制御方法であって、
映像データの印刷指示を検知する印刷指示検知工程と、
前記印刷指示を検知してから所定時間以内に静止画像データを受信した場合は、該静止画像データを印刷装置に送信する印刷制御工程とを有することを特徴とする画像処理装置の制御方法。
【請求項１４】
印刷装置と通信可能であり、映像データと、前記映像データに関連する静止画像データとを含むデジタル放送を受信する画像処理装置の制御方法であって、
映像データの印刷指示を検知する印刷指示検知工程と、
前記印刷指示を検知したときの印刷指示情報と、静止画像データと映像データとを関連付けるための対応情報とを比較し、前記静止画像データを前記印刷装置に送信するかを判断する印刷制御工程とを有することを特徴とする画像処理装置の制御方法。
【発明の詳細な説明】
【技術分野】
【０００１】
本発明は、印刷装置と通信可能な画像処理装置に関し、特にデジタル放送を受信し、放送データの印刷の制御を行う画像処理装置に関する。
【背景技術】
【０００２】
近年、デジタル放送の普及に伴い、さまざまなデジタル放送データが提供されている。そして、デジタルテレビ装置のディスプレイに表示されたデジタル映像を見ながら、リモコン等を用いて印刷を指示するだけで、デジタル放送の映像データを簡単に印刷することができる技術が開発されてきている。デジタル放送の映像データを印刷する方法としては、デジタルテレビ装置が印刷装置を内蔵している場合や、デジタルテレビ装置が印刷装置と有線または無線接続している場合などがある。このとき、印刷指示されたシーンの映像データから静止画像データを生成し、この静止画像データを印刷装置に送信することで、デジタル放送の印刷を即座に行うことが出来る。
【０００３】
さらに、デジタル放送では、文字や画像の情報をマークアップ言語で交換することが可能となるため、デジタル放送番組の映像データではなく、静止画像データを配信することもできる。このような静止画像データが配信された場合、デジタル放送の映像データから静止画像データを生成することなく、配信された静止画像をそのまま印刷することが出来る。
【０００４】
なお、デジタルデータ放送の印刷に関する技術としては従来から幾つか提案されている。
【０００５】
例えば特許文献１は、様々な情報を示す要素からなるコンテンツデータを受信するデジタルテレビチューナーとプリンタとが有線接続された印刷システムにおいて、コンテンツデータの各要素をレイアウトして印刷データを生成することについて開示されている。
【特許文献１】特開２００３−２３７１６８号公報
【発明の開示】
【発明が解決しようとする課題】
【０００６】
上記デジタルテレビ装置のような画像処理装置から、操作者に指示されたデジタル放送の映像データの印刷を行うとき、内蔵の印刷装置、または、接続されている印刷装置が使用不可能である場合、前記静止画像データを即座に印刷することが出来ない。
【０００７】
特にデジタル放送の印刷の場合は、連続して印刷指示を行うと、印刷すべき画像データを印刷装置に送ろうとしても前の画像の印刷が完了しておらず、画像データを印刷装置に送ることができなくなるような状況が考えられる。
【０００８】
このとき、印刷指示されたデジタル放送の映像データを静止画像データに変換して一時的にハードディスクなどの内蔵記録装置に記憶し、印刷装置が使用可能になった時に改めて印刷するなどの回避策が考えられる。しかし、印刷装置が使用可能になった時に、内蔵記録装置に記憶された大容量のデータの中から印刷対象である静止画像データを検索する必要があり、操作が煩雑である。
【０００９】
また、静止画像データをハードディスクなどの内蔵記録装置に記憶した場合、印刷装置が内蔵されているか、または、印刷装置と有線または無線接続した状態でしか、印刷対象である静止画像データを印刷することが出来ない。
【００１０】
さらに、この場合、印刷対象の静止画像データをメモリカードなどのような着脱可能な記憶媒体に記憶し、前記記憶媒体を印刷装置に装着することによって印刷するなどの回避策が考えられる。しかし、記憶媒体を装着した印刷装置において、記憶媒体に記憶された複数のデータの中から、印刷対象の静止画像データを選択する必要があり、操作が煩雑である。
【００１１】
デジタル放送ではデジタル放送の放送番組を構成する映像データの他にもさまざまなコンテンツ（例えば、プリント用の静止画像データ等）を配信可能である。しかし、デジタルテレビのような画像処理装置では、映像データの印刷指定を受けたとき、映像データから印刷出力用の静止画像データを生成しているため、プリント用のコンテンツは全く利用されていなかった。
【００１２】
本発明はこのような事情を鑑みてなされたものであり、印刷装置と通信可能であり、デジタル放送のデジタルデータの印刷を制御する画像処理装置において、印刷装置が使用不可能な場合でも、簡単かつ確実に印刷を行い得る画像処理装置を提供することを目的とする。
【００１３】
また本発明は、より高画質、高精細のデジタル放送コンテンツを用いて、印刷指定のあった映像データの印刷を複雑な操作をせずに行える技術を提供することを目的をする。
【課題を解決するための手段】
【００１４】
上記のような課題を解決するため、本発明の画像処理装置は以下のような構成を備える。すなわち、
印刷装置と通信可能であり、デジタル放送を受信する画像処理装置であって、映像データの印刷指示を検知する印刷指示検知手段と、印刷指示に応じて、デジタル放送の映像データから静止画像データを生成し、印刷装置に送信する印刷制御手段と、静止画像データを記憶する記憶手段と、印刷装置が使用可能であるか否かを検知する印刷装置検知手段とを有し、印刷装置検知手段により印刷装置が使用不可能であると検知されたときは、静止画像データを送信せずに、静止画像データの印刷を指示する印刷制御情報を記憶手段に記憶させることを特徴とする。
【００１５】
上記のような課題を解決するため、本発明の画像処理装置は以下のような構成を備える。すなわち、
印刷装置と通信可能であり、デジタル放送を受信する画像処理装置であって、デジタル放送の映像データと、映像データに関連する静止画像データとを受信する受信手段と、映像データの印刷指示を検知する印刷指示検知手段と、印刷指示の検知のタイミングに応じて、受信手段により受信した静止画像データを印刷装置に送信することを特徴とする。
【００１６】
上記のような課題を解決するため、本発明の画像処理装置は以下のような構成を備える。すなわち、
印刷装置と通信可能であり、デジタル放送を受信する画像処理装置であって、デジタル放送の映像データと、映像データに関連する静止画像データとを受信する受信手段と、映像データの印刷指示を検知する印刷指示検知手段と、印刷指示を検知してから所定時間以内に静止画像データを受信した場合は、該静止画像データを印刷装置に送信する印刷制御手段とを有することを特徴とする。
【００１７】
上記のような課題を解決するため、本発明の画像処理装置は以下のような構成を備える。すなわち、
印刷装置と通信可能であり、デジタル放送を受信する画像処理装置であって、デジタル放送の映像データと、映像データに関連する静止画像データとを受信する受信手段と、映像データの印刷指示を検知する印刷指示検知手段と、受信手段により静止画像データを受信してから所定時間以内に印刷指示を検知した場合は、該静止画像データを印刷装置に送信することを特徴とする。
【００１８】
上記のような課題を解決するため、本発明の画像処理装置は以下のような構成を備える。すなわち、
印刷装置と通信可能であり、デジタル放送を受信する画像処理装置であって、映像データと、映像データに関連する静止画像データとを受信する受信手段と、映像データの印刷指示を検知する印刷指示検知手段と、印刷指示を検知したときの印刷指示情報と、受信手段により受信した静止画像データと映像データとを関連付けるための対応情報とを比較し、静止画像データを印刷装置に送信するかを判断する印刷制御手段とを有することを特徴とする。
【００１９】
上記のような課題を解決するため、本発明の画像処理装置の制御方法は以下のような工程を備える。すなわち、
印刷装置と通信可能であり、デジタル放送データを受信する画像処理装置の制御方法であって、
映像データの印刷指示を検知する印刷指示検知工程と、印刷指示に応じて、デジタル放送データから静止画像データを生成する印刷用画像データ生成工程と、印刷装置が使用可能であるか否かを検知する印刷装置検知工程と、印刷装置検知工程において、印刷装置が使用不可能であると検知されたときは、静止画像データを印刷装置に送信せずに、静止画像データの印刷を指示する印刷制御情報を記憶させる記憶工程を有することを特徴とする。
【００２０】
上記のような課題を解決するため、本発明の画像処理装置の制御方法は以下のような工程を備える。すなわち、
印刷装置と通信可能であり、映像データと、映像データに関連する静止画像データとを含むデジタル放送を受信する画像処理装置の制御方法であって、映像データの印刷指示を検知する印刷指示検知工程と、印刷指示の検知のタイミングに応じて、静止画像データを印刷装置に送信する印刷制御工程とを有することを特徴とする。
【００２１】
上記のような課題を解決するため、本発明の画像処理装置の制御方法は以下のような工程を備える。すなわち、
印刷装置と通信可能であり、映像データと、映像データに関連する静止画像データとを含むデジタル放送を受信する画像処理装置の制御方法であって、映像データの印刷指示を検知する印刷指示検知工程と、印刷指示を検知してから所定時間以内に静止画像データを受信した場合は、該静止画像データを印刷装置に送信する印刷制御工程とを有することを特徴とする。
【００２２】
上記のような課題を解決するため、本発明の画像処理装置の制御方法は以下のような工程を備える。すなわち、
印刷装置と通信可能であり、映像データと、映像データに関連する静止画像データとを含むデジタル放送を受信する画像処理装置の制御方法であって、映像データの印刷指示を検知する印刷指示検知工程と、印刷指示を検知したときの印刷指示情報と、静止画像データと映像データとを関連付けるための対応情報とを比較し、静止画像データを印刷装置に送信するかを判断する制御工程とを有することを特徴とする。
【発明の効果】
【００２３】
本発明によれば、デジタル放送の印刷指示を受けたときに印刷装置が使用不可能である場合、指示された画像を印刷する旨を記述した印刷制御情報を生成し記憶するので、印刷装置が使用可能になり次第、印刷できる。このため、印刷装置が無効である場合でも、確実かつ簡単に印刷できるという効果が得られる。
【００２４】
また、可搬性に優れた記憶媒体に、印刷に必要なデジタル放送データを記録しておくので、デジタル放送の印刷に必要となるデータが記録されている記憶媒体を印刷装置に挿入することで確実かつ簡単に印刷することが出来る。
【００２５】
本発明によれば、印刷指示を検知したタイミングにより近い静止画像を印刷することができる。そのため、操作者は簡単な操作で所望の印刷結果を得ることができる。また、デジタル放送の映像データから生成した静止画像を印刷せずに、デジタル放送で受信した印刷に適した静止画像をもとに印刷するので、より高画質な印刷出力が得られる。
【００２６】
また、操作者の印刷指示のタイミングに応じて、映像データをもとに印刷するか、印刷に適した静止画像データをもとに印刷するかを自動的に切り替えるので、より高画質な印刷出力を簡単な操作で得られることになる。
【発明を実施するための最良の形態】
【００２７】
以下に本発明の好適な実施の形態について図面を参照して説明する。
【実施例１】
【００２８】
本発明を適用する第１の発明の実施形態について、図１から図４を参照しながらその構成について説明する。
【００２９】
図１は、本発明の第１の実施形態に係るデジタル放送の印刷の制御を行なうデジタルテレビ装置１のブロック図である。
【００３０】
ＣＰＵ１Ａは、デジタルテレビ装置１の全体の制御を司っている。
【００３１】
受信部１Ｂは、放送局の電波塔より送信されたデジタル放送データを、図示しないアンテナなどを経て受信する受信部である。受信したデジタル放送データには、番組データである映像と音声のデータの他に、データ放送用データ等が含まれている。ここでデータ放送用データとは、構造化文書の一つであるＢＭＬ（Ｂｒｏａｄｃａｓｔ  Ｍａｒｋｕｐ  Ｌａｎｇｕａｇｅ）によって記述されるＢＭＬ文書と、ＢＭＬ文書が参照するたの静止画や動画を含むモノメディアデータである。受信したデジタル放送データは、動画はＭＰＥＧ、音声はＡＡＣ、静止画はＪＰＥＧやＰＮＧなどなど所定の圧縮方式で圧縮されているため、ＣＰＵ１Ａにより復号される。復号された映像データや静止画像データ、動画データ、テキストデータ等は、さらに表示可能なデータに変換され、ディスプレイ等の表示部１Ｄに表示される。また、音声データは、図示しないスピーカー等から出力される。表示部１Ｄは、デジタルテレビ装置１に内蔵されたものとしたが、外部の表示装置を接続するような構成をとってもよい。
【００３２】
ＲＡＭ１Ｃは、揮発性の記憶デバイスであり、データの蓄積や、データの表示・変換に必要なバッファなどである。
【００３３】
記録装置１Ｅは、不揮発性の記憶デバイスであり、デジタル放送データから抽出またはデータ変換を行なって生成した動画や静止画像データを記憶するハードディスク等である。
【００３４】
入力部１Ｆは、操作者が印刷などの指示を入力するための入力部であり、リモコンなどの遠隔操作により操作者の指示を入力する。また、操作者が直接入力する操作部を設けてもよい。
【００３５】
デジタルテレビ装置１は、他に、電源ＳＷ１Ｇと、不揮発性の記憶デバイスＲＯＭ１Ｈと、印刷装置と有線または無線接続する接続部１Ｉ、記憶媒体装着部１Ｊとを備える。ＲＯＭ１Ｈには、本発明の機能を実現するプログラム等が記憶されており、ＣＰＵ１ＡはＲＯＭ１Ｈからプログラムを読み出し、デジタルテレビ装置１全体の制御を行なう。
【００３６】
次に、デジタル放送データの印刷を行なう装置として、デジタルテレビ装置１と有線接続された印刷装置２を例に挙げて説明する。
【００３７】
次に、印刷の指示を入力する方法について説明する。
【００３８】
操作者は、表示部１Ｄの映像を見ながらリモコンなどの装置を用いて印刷ボタンを押し、所望のシーンの印刷を指示することが出来る。
【００３９】
デジタルテレビ装置１は、操作者の指示により入力部１Ｆから印刷指示が入力されたことを検知すると、表示部１Ｄ表示されている映像データから静止画像データを生成し、この静止画像データを印刷装置２へ送信することで、所望のシーンを印刷することが出来る。
【００４０】
また、表示データから静止画像データを生成せずに、デジタル放送データの動画データやデジタル放送データそのものから抽出やデータ変換を行なうことで、静止画像データを生成することもできる。表示しているデータが静止画像データである場合は変換する必要はない。
【００４１】
図２は本実施の形態に係る印刷装置２の構成を表すブロック図である。
【００４２】
ＣＰＵ２ＡはＲＯＭ２Ｂに格納された各種制御プログラムを実行し、必要に応じてＲＡＭ２Ｃにデータを書き込んだり、参照する処理を行う。また、ＲＯＭ２Ｂに格納されたプログラムの一部又は全てをＲＡＭ２Ｃに転送後にＣＰＵ２ＡがＲＡＭ２Ｃのプログラムに基づいて動作しても良い。ＲＯＭ２Ｂには、印刷装置２全体の処理を司るメインプログラムの他に、各種処理を実行するためのプログラムが格納されており、印刷制御ファイルの読み込み処理や解析処理に関係するプログラムや操作部２Ｄを制御するプログラム等も格納されている。
【００４３】
ＣＰＵ２Ａは、操作部２Ｄから入力されたパラメータの設定情報、プリンタ部２Ｆに対する印刷処理選択情報等の印刷に関わる情報、印刷制御ファイルの内容及びこれを解析する。ＲＡＭ２Ｃには、解析結果に基づいて生成される印刷データ、記憶媒体装着部２Ｈから読み込まれた画像ファイル自体の一時的な格納等といった各種のパラメータ情報とデータが格納され、必要に応じてＣＰＵ２Ａによって参照、書き換えが行われる。その他、画像処理を行うに当たって、必要となるバッファメモリ、ワークメモリとしても使用される。
【００４４】
操作部２Ｄは、機能を選択するために必要な情報を表示するための表示デバイスや機能選択及び印刷実行指示を行うためのキー等の入力デバイスを備える。インターフェイス部は記憶媒体に記録された情報、または、接続部２Ｇを介して接続されている機器からの情報を読み取るためのインターフェイスである。本実施の形態では、記憶媒体装着部２Ｈを介してメモリカード等の記憶媒体に記録された情報を読み取るか、または、接続部２Ｇを介して接続されている機器から画像データや印刷制御情報を受信する。
【００４５】
記憶媒体装着部２Ｈは、印刷装置２にセットされたメモリカードの読取処理を行い、読み取った内容をＲＡＭ２Ｃに格納したり、若しくはＲＡＭ２Ｃを介在しないで直接画像処理部２Ｅを経由してプリンタ部２Ｆに画像データを送り込む処理を行う。記憶媒体装着部２Ｈには、記憶媒体からの印刷装置２への情報の読取、若しくはその逆の処理を（印刷装置２から記録メディアに情報を書き込む）行っている場合等、記録メディアへアクセスしていることを表示するＬＥＤを備え付けても良い。また、操作部２Ｄからの指示によって、直接若しくはＲＡＭ２Ｃに格納された情報の一部若しくは全てを記憶媒体に書き込む処理を行うことも可能である。印刷制御ファイルの読取及び画像データの読取（若しくは書き込み）は、この記憶媒体装着部２Ｈを介して行われる。
【００４６】
画像処理部２ＥはＲＡＭ２Ｃに展開された画像データ、若しくは記憶媒体装着部２Ｈから直接読み込まれた画像データをプリンタ部２Ｆで最適に印刷処理ができるように印刷データに変換する画像処理ユニットである。プリンタ部２Ｆは、画像処理部２Ｅから転送されてきた印刷データを印刷するためのユニットであり、サーマルインクジェット方式、電子写真方式、ドットインパクト方式、昇華式熱転写方式等の各種の印刷手段が提供されている。
【００４７】
次に、図３は、操作者が印刷指示を入力してからのデジタルテレビ装置１の処理を示すフローチャートである。これらの処理はＣＰＵ１Ａの制御によって行なわれる。
【００４８】
デジタル放送では放送番組を構成する映像データ、音声データの他にも、モノメディアデータとして静止画像データや動画像データを配信することができる。
【００４９】
ステップＳ３０１では、デジタル放送を受信中に操作者から映像データの印刷指示が行なわれたかを検知する。具体的には、ＣＰＵ１Ａが、入力部１Ｆに印刷指示が入力されたかを検知する。印刷指示が検知された場合は、ステップＳ３０２へ、そうでない場合は、ステップＳ３０１へ遷移する。
【００５０】
ステップＳ３０２では、印刷指示のあった映像データから印刷に使用するＪＰＥＧ等の汎用の静止画像データを生成し、ＲＡＭ１Ｃに記憶する。静止画像データの生成は、表示データから静止画像データを生成してもよいし、映像データから抽出やデータ変換を行なうことで、静止画像データを生成してもよい。またＪＰＥＧ等の静止画像データでなくビットマップやＲＧＢ−ＹＭＣＫ変換した印刷用データを記憶しておいてもよい。
【００５１】
ステップＳ３０３では、デジタルテレビ装置１は、接続されている印刷装置２のステータス情報を受信し、解析することで印刷装置２の状態を確認する。そして、印刷装置２は紙切れ・インク切れ等のエラーをおこしていないか、現在印刷中であるかなどを確認し、印刷装置２が使用可能であるかを判断する。ここでは印刷装置が使用可能であるかを判断できればよいので、印刷装置２のステータス情報を必ずしも受け取る必要はない。印刷装置が接続されているか、印刷装置の電源がオンであるかを検出する手段を別途設け、そこから印刷装置が使用可能であるかを判断してもよい。印刷装置２が使用可能な場合はステップＳ３０４へ、印刷装置２が使用不可能な場合はステップＳ３０５へ遷移する。
ステップＳ３０４では、ステップＳ３０２においてＲＡＭ１Ｃに記憶された静止画像データまたは印刷用画像データを、前記接続部１Ｉを介して前記印刷装置２へ送信する。
【００５２】
ステップＳ３０５では、ステップＳ３０２において前記ＲＡＭ１Ｃに記憶された静止画像データを印刷する旨を記述した印刷制御ファイルを自動的に生成し、静止画像データと印刷制御ファイルとを記録装置１Ｅに記録する。印刷制御ファイルには、印刷する静止画像データを特定するための画像データのファイル名や画像データの記録場所などを記述しておく。こうすることで、後で印刷装置に静止画像データを送信する際に、記録装置１Ｅの大容量のデータの中から印刷すべき静止画像データを簡単に検索することができる。また、印刷制御ファイルには、複数の画像データの印刷を指示することができ、さらに、印刷枚数や印刷用紙サイズなどのプリント設定情報を含めておいてもよい。ここではステップＳ３０５で、静止画像データと印刷制御情報とを記録装置１Ｅに記録したが、静止画像データはステップＳ３０２で、先に記録装置１Ｅに記録しておいてもよい。この場合、印刷装置が使用可能であるかに関わらず、画像を不揮発性の記録デバイスに記録しておくので、印刷後にも印刷した画像をデジタルテレビ装置１の表示部１Ｄで確認したり、再印刷が可能となる。
【００５３】
また、ステップＳ３０５で、印刷装置２が使用不可能であり、印刷を行わずに画像データと印刷制御ファイルを記録装置１Ｅに記録したことを表示部１Ｄに表示してもよい。このとき、印刷装置２のステータス情報を受信し使用不可能な原因がわかっていればその原因を表示する。そうすることで、印刷指示を行った操作者に、印刷が行えず印刷に必要となるデータを記録装置に記録したことや、なぜ印刷がおこなえなかったのかなどを操作者に通知することができる。
【００５４】
また、ステップＳ３０１で連続して印刷指示がされた場合は、印刷装置２は印刷中となり画像データを送れなくなる可能性が高いので、２回目の指示からは自動的に印刷制御ファイルを作成するようにしてもよい。これにより、連続して印刷指示がされた場合も確実に印刷できるようになる。
【００５５】
図４は、印刷指示の入力がされたときに印刷装置２が使用不可能であり、印刷制御情報を記録装置１Ｅに記録した場合、ある一定時間が経過した後や、印刷装置２が使用可能になったときに印刷を行うためのデジタルテレビ装置１の処理を示すフローチャートである。
【００５６】
ステップＳ４０１で、ＣＰＵ１Ａは、記録装置１Ｅ内のデータを検索し、印刷制御ファイルが記録されているかをチェックする。
【００５７】
ステップＳ４０２では、ステップＳ３０３と同様に、印刷装置２が使用可能であるかを判断する。使用可能な場合は、ステップＳ４０３へ、使用不可能な場合は、ステップＳ４０２へ遷移する。
【００５８】
ステップＳ４０３では、記録装置１Ｅに記憶された印刷制御ファイルを読み出し、その中に記述された静止画像データのファイル名から印刷すべき静止画像データを特定する。
【００５９】
この印刷すべき静止画像データを接続部１Ｉを介して印刷装置２に送信する。
【００６０】
静止画像データを受信した印刷装置２は、静止画像データをもとに印刷を開始する。
【００６１】
ステップＳ４０４では、記録装置１Ｅに記録されているステップＳ４０３で印刷装置２に送信した静止画像データと印刷制御ファイルを消去する。こうすることで無駄にデータを蓄積することを防ぐ。また、印刷装置に送信した印刷制御ファイルを消去することで、デジタルテレビ装置１には未印刷の画像の印刷制御ファイルだけがが記録されていることになる。
【００６２】
ステップＳ４０３で、印刷すべき静止画像データのみを印刷装置に送信したが、静止画像データと印刷制御ファイルとを印刷装置に送信するようにしてもよい。印刷制御ファイルを印刷装置に送信する場合は印刷装置側で印刷制御ファイルを解析し、印刷制御ファイルの指示にしたがって印刷を行うことになる。
【００６３】
次に画像データを受信したときの印刷装置２の動作について説明する。
【００６４】
デジタルテレビ装置１の接続部１Ｉから印刷装置２の接続部２Ｇを介して画像データを受信した場合は、まず画像データをＲＡＭ２Ｃに格納し画像データを展開する。画像処理部において、展開した画像データをプリンタ部２Ｆで印刷処理ができるような印刷データに変換する。この印刷データをもとにプリンタ部２Ｆで印刷が行われる。
【００６５】
画像データ共に印刷制御ファイルも受信した場合は、まず受信したデータをＲＡＭ２Ｃに格納し画像データと印刷制御ファイル展開する。次に印刷制御ファイルを解析する。印刷制御ファイルに記述されている印刷する静止画像データを特定するための情報から印刷画像を特定し、ＲＡＭ２Ｃに展開する。画像処理部において、展開した画像データをプリンタ部２Ｆで印刷処理ができるような印刷データに変換しプリンタ部２Ｆで印刷する。
【実施例２】
【００６６】
本発明を適用する第２の発明の実施形態について、図５を参照しながらその構成について説明する。操作者による印刷指示の処理及び、印刷装置２における印刷処理については、ほぼ実施例１と同様である。
【００６７】
デジタルテレビ装置１では、印刷装置２が使用可能であるかを判断し、使用可能な場合は、静止画像データを、接続部１Ｉを介してデジタルテレビ装置１から印刷装置２へ送信し、前記印刷装置２において前記静止画像データを視認可能に印刷出力する。使用不可能であった場合は、記憶媒体装着部１Ｊにメモリカードなどの記憶媒体が装着されているか、また、記憶媒体は書き込み可能であるかをチェックする。書き込み可能な記憶媒体が装着されている場合は、記憶媒体に静止画像データと印刷制御ファイルを記憶する。記憶媒体が装着されてない、または、書き込み不可である場合は、デジタルテレビ装置１に内蔵されたハードディスクなどの記録装置１Ｅに静止画像データ及び印刷制御ファイルを記憶する。
【００６８】
印刷装置２が無効であった場合でも、一時的にメモリカードなどの記憶媒体、またはデジタルテレビ装置１に内蔵されたハードディスクなどの記録装置１Ｅに前記静止画像データを記憶することによって、印刷装置２が有効になった時、メモリカードなどの記憶媒体、または、デジタルテレビ装置１に内蔵されたハードディスクなどの記録装置１Ｅに記憶された印刷制御ファイルを基に、確実に静止画像データを印刷することが出来る。
【００６９】
図５は、操作者が印刷指示を入力してからのデジタルテレビ装置１の処理を示すフローチャートである。
【００７０】
ステップＳ５０１からステップＳ５０４は、図３のステップＳ３０１からステップＳ３０４と同様なので、説明は省略する。
【００７１】
ステップＳ５０５では、記憶媒体装着部１Ｊに記憶媒体が挿入されているか、また、装着されている記憶媒体は書き込み可能に設定されているか、画像データと印刷制御ファイルを書き込むだけの容量が残っているかなどをチェックする。記記憶媒体に印刷制御ファイルおよび画像データを書き込み可能であると判断した場合はステップＳ５０６へ、書き込み不可能である場合はステップＳ５０７へ遷移する。
【００７２】
ステップＳ５０６では、Ｓ５０２においてＲＡＭ１Ｃに記憶された静止画像データを印刷する旨を記述した印刷制御ファイルを生成し、静止画像データと印刷制御ファイルとを記憶媒体装着部１Ｊに装着されたメモリカードなどの記憶媒体に記録する。
【００７３】
ステップＳ５０７では、Ｓ５０２においてＲＡＭ１Ｃに記憶された静止画像データを印刷する旨を記述した印刷制御ファイルを生成し、静止画像データと印刷制御ファイルとをハードディスクなどの記録装置１Ｅに記録する。
【００７４】
上記実施例では、印刷装置が使用不可能である場合、印刷制御ファイル及び印静止画像データをデジタルテレビ装置内蔵の記録装置と着脱可能な記憶媒体のどちらに記録するかを記憶媒体の状況により自動的に切り替えるている。これにより、確実に印刷に必要となるデータを記録しておくことができる。
【００７５】
また、可搬性に優れた記憶媒体に、印刷に必要なデジタル放送データを記録しておくので、デジタル放送の印刷に必要となるデータが記録されている記憶媒体を印刷装置に挿入することで確実かつ簡単に印刷することが出来る。
【実施例３】
【００７６】
本発明を適応する第３の実施例について説明する。
【００７７】
本発明のデジタルテレビ装置１は、実施例１におけるデジタルテレビ装置と同じ構成を持つ。そして、放送番組を構成する映像データと音声データだけでなく、放送番組に関連した静止画像データを含むデジタル放送を受信することができる。デジタルテレビ装置１は、受信した静止画像データを印刷装置２に送信し、印刷装置２によって印刷される。印刷装置２における装置構成および印刷処理は、実施例１と同様である。
【００７８】
放送番組に関連した静止画像データは、所定時間間隔毎にテレビ局の電波塔から送信され、デジタルテレビ装置１は、所定時間間隔毎に映像データに関連した静止画像データを映像データと共に受信する。
【００７９】
本実施例では、デジタルテレビ装置１は静止画像データを受信したタイミング、印刷指示を受けたタイミングに応じて、印刷装置に送信する静止画像データを決定する。
【００８０】
本発明を適応する第３の実施例について図６を参照しながら、さらに詳しく説明する。
【００８１】
第３の実施例について、図６を用いて詳しく説明する。
【００８２】
図６は、印刷指示を検知してからのデジタルテレビ装置１の処理を表すフローチャートである。
【００８３】
これらの処理は、デジタルテレビ装置１のＣＰＵ１Ａの制御により行なわれる。
【００８４】
ステップＳ６０１では、デジタル放送を受信中に、操作者からの映像データの印刷指示を検知したか否かを判断する。印刷指示が検知された場合は、ステップＳ６０２へ遷移する。そうでない場合は、ステップＳ６０１へ遷移する。
【００８５】
ステップＳ６０２では、印刷指示を検知したときの映像データをＲＡＭ１Ｃに記憶する。
【００８６】
ステップＳ６０３では、印刷指示を検知してから所定時間以内に静止画像データを受信したか否かを判断する。静止画像データを受信した場合は、受信した静止画像データをＲＡＭ１Ｃに記億してステップＳ６０４へ遷移する。印刷指示を検知してから所定時間たっても静止画像データを受信していない場合は、ステップＳ６０５へ遷移する。
【００８７】
ステップＳ６０４では、ステップＳ６０３で受信し、ＲＡＭ１Ｃに記億した静止画像データを印刷対象画像として印刷装置２に送信する。
【００８８】
ステップＳ６０５では、ステップＳ６０２で記憶した印刷指示を受けた映像データから印刷用のプリントデータ、または、静止画像データを生成し、印刷装置に送信する。
【００８９】
上記実施例では、映像データの印刷指示を検知してから所定時間以内に静止画像データを受信した場合は、映像データから生成した静止画像でなく、受信した静止画像データを印刷装置に送信するという構成をとった。しかし、本発明の特徴は、印刷指示の検知と静止画像データの受信のタイミングに応じて、印刷装置に送信する画像を決定するところにある。よって、静止画像データを受信してから所定時間以内に印刷指示を検知した場合に、受信した静止画像データを印刷装置に送信するという構成でも本発明は達成される。
【００９０】
上記実施例によれば、印刷指示を検知したタイミングに近い静止画像を印刷することができる。そのため、操作者は所望の印刷結果を得ることができる。また、デジタル放送の映像データから生成した静止画像を印刷せずに、デジタル放送で受信した印刷に適した高精細の静止画像をもとに印刷するので、高精細な印刷出力が得られる。また、操作者の印刷指示のタイミングに応じて、映像データをもとに印刷するか、印刷に適した静止画像データをもとに印刷するかを自動的に切り替えるので、より高精細な印刷出力を簡単に得ることができる。
【実施例４】
【００９１】
本発明を適応する第４の実施例について説明する。本発明のデジタルテレビ装置１は、実施例１におけるデジタルテレビ装置と同じ構成を持つ。そして、放送番組を構成する映像データと音声データだけでなく、放送番組に関連した静止画像データを受信することができる。デジタルテレビ装置１は、受信した静止画像データを印刷装置２に送信し、印刷装置２によって印刷される。印刷装置２における印刷処理は、実施例１と同様である。
【００９２】
放送番組の映像データに関連した静止画像データは、映像データのある１シーンに対応していて、所定時間間隔毎に送られてくる。すなわち、デジタルテレビ装置１は、所定時間間隔毎の映像データに対応した静止画像データを受信することになる。この静止画像データは、映像データと対応づけるための対応情報と共に受信することができる。対応情報とは、静止静止画像データに対応する映像データに関する情報であり、たとえば、映像データの放送時間情報や、映像データのフレームやコマ番号等である。
【００９３】
デジタルテレビ装置１は、操作者によりデジタル放送の映像データの印刷指示を受けたときは、印刷指示を受けた映像データの情報を印刷指示情報として記憶しておく。この印刷指示情報と受信した静止画像データの対応情報とを比較し、印刷装置２に送信する画像を決定する。
【００９４】
第４の実施例について、図７を用いて詳しく説明する。
【００９５】
図７は、印刷指示を検知してからのデジタルテレビ装置１の処理を表すフローチャートである。
【００９６】
これらの処理は、デジタルテレビ装置１のＣＰＵ１Ａの制御により行なわれる。
【００９７】
ステップＳ７０１では、デジタル放送を受信中に、操作者からの映像データの印刷指示を検知したか否かを判断する。印刷指示が検知された場合は、ステップＳ７０２へ遷移する。そうでない場合は、ステップＳ７０１へ遷移する。
【００９８】
ステップＳ７０２では、デジタルテレビ装置１が印刷指示を検知したとき映像データから放送時間情報を取得し、印刷指示時間としてＲＡＭ１Ｃに記憶する。また、印刷指示を受けた映像データもＲＡＭ１Ｃに記憶する。印刷指示時間の取得は、印刷指示を受けたタイミングが分かればよいので、印刷指示を受けた映像データを解析して放送時間情報を取得てもよいし、印刷指示を検知した時間そのものを印刷指示時間としてもよい。
【００９９】
ステップＳ７０３では、映像データ受信中に静止画像データを受信したか否かを判断する。静止画像データを受信した場合は、受信した静止画像データをＲＡＭ１Ｃに記億してステップＳ７０４へ遷移する。印刷指示を検知してから所定時間たっても静止画像データを受信していない場合は、静止画像データを受信していないと判断し、ステップＳ７０８へ遷移する。
【０１００】
ステップＳ７０４では、ＲＡＭ１Ｃに記億した静止画像データに記述されている、この静止画像データに対応する映像データが放送された時間を示す対応情報を取得し、前記ＲＡＭ１Ｃに記憶する。
【０１０１】
ステップＳ７０５では、ステップＳ７０２で記憶した印刷指示時間と、ステップＳ７０４において記憶した対応時間情報とを比較する。
【０１０２】
ステップＳ７０６では、ステップＳ７０５で比較した結果が、例えば１ｓｅｃいないであるかなど、所定時間以内であるか否かを判断する。所定時間以内である場合は、ステップＳ７０７へ遷移する。所定時間以内でない場合は、ステップＳ７０３へ遷移し、
次に受信する静止画像データについて、ステップＳ７０３からステップＳ７０６の処理を行う。
【０１０３】
ステップＳ７０７では、ステップＳ７０４で記憶したデジタル放送で受信した静止画像データを印刷装置に送信する。
【０１０４】
ステップＳ７０８では、静止画像データを受信していないと判断されたので、印刷指示を受けた映像データから印刷用のプリントデータ、または、静止画像データを生成し、印刷装置に送信する。
【０１０５】
上記実施例によれば、印刷指示を検知したタイミングにより近いシーンの静止画像を印刷するため、操作者は所望の印刷結果を得られる。また、デジタル放送の映像データから静止画像を生成して印刷するのではなく、デジタル放送で受信した印刷に適した静止画像データをもとに印刷を行なうので、よりよい印刷出力が得られるようになる。
【０１０６】
（その他の実施例）
上記実施例において、静止画像データを印刷する装置として、デジタルテレビ装置と有線接続した印刷装置を挙げたが、これに限らず、デジタルテレビ装置と無線接続した印刷装置であってもよいし、デジタルテレビ装置が内蔵した印刷装置であってもよいことは言うまでもない。
【０１０７】
また、上記実施例において、記憶媒体として、メモリカードを挙げたが、これに限らず、可搬性に優れた記憶媒体であれば、他の記憶媒体であっても良いことは言うまでもない。
【０１０８】
また、上記実施例において、記録装置としてデジタルテレビ装置が内蔵するハードディスクを挙げたが、これに限らず、デジタルテレビ装置に外付けされた記録装置であっても良いことは言うまでもない。
【０１０９】
上記実施例において、放送局の電波塔から送信されるデジタル放送波を受信するデジタルテレビ装置を例にして本発明の画像処理装置について説明してきたが、デジタルの放送の受信形態には様々なものが考えられる。たとえば、衛星放送やケーブル放送、または、インターネットなどのネットワーク接続により配信される放送や携帯電話で視聴可能なデジタル放送等である。本発明はこれらの場合も適応できるので、本発明の画像処理装置はデジタルテレビ装置に限定されず、デジタルテレビチューナー、チューナー等に接続されデジタル放送を再生可能なディスプレイ、ＰＣやＤＶＤプレーヤーなどの画像再生機器、あるいは、携帯電話等のモバイル機器、等にも適応される。
【０１１０】
本発明の目的は前述したように、実施例の機能を実現するソフトウェアのプログラムコードを記録した記憶媒体をシステム或は装置に提供し、そのシステム或は装置のコンピュータ（又はＣＰＵやＭＰＵ）が記憶媒体に格納されたプログラムコードを読み出し実行することによっても達成される。この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピィ（登録商標）ディスク、ハードディスク、光ディスク、光磁気ディスク、ＣＤ−ＲＯＭ，ＣＤ−Ｒ、磁気テープ、不揮発性のメモリカード、ＲＯＭなどを用いることができる。
【０１１１】
また、コンピュータが読み出したプログラムコードを実行することにより、前述した実施の形態の機能が実現されるだけでなく、そのプログラムコードの指示に基づき、コンピュータ上で稼動しているＯＳ（オペレーティングシステム）などが実際の処理の一部又は全部を行い、その処理によって前述した実施例の機能が実現される場合も含まれる。
【０１１２】
更に、記憶媒体から読み出されたプログラムコードが、コンピュータに挿入された機能拡張ボードやコンピュータに接続された機能拡張ユニットに備わるメモリに書きこまれた後、そのプログラムコードの指示に基づき、その機能拡張ボードや機能拡張ユニットに備わるＣＰＵなどが実際の処理の一部又は全部を行い、その処理によって前述した実施例の機能が実現される場合も含む。
【図面の簡単な説明】
【０１１３】
【図１】本発明の実施形態に係る、デジタルテレビ装置１の構成を表すブロック図である。
【図２】本発明の実施形態に係る、印刷装置２の構成を表すブロック図である。
【図３】本発明の第１の実施形態に係る、操作者が印刷指示を入力してからのデジタルテレビ装置１の処理を示すフローチャートである。
【図４】本発明の実施形態に係る、印刷装置２が使用可能になったときに印刷を行うためのデジタルテレビ装置１の処理を示すフローチャートである。
【図５】本発明の第２の実施形態に係る、印刷指示を入力してからのデジタルテレビ装置１の処理を示すフローチャートである。
【図６】本発明の第３の実施形態に係る、印刷指示を入力してからのデジタルテレビ装置１の処理を示すフローチャートである。
【図７】本発明の第４の実施形態に係る、印刷指示を入力してからのデジタルテレビ装置１の処理を示すフローチャートである。
【符号の説明】
【０１１４】
１  画像処理装置
１Ａ  ＣＰＵ
１Ｂ  受信部
１Ｃ  ＲＡＭ
１Ｄ  表示部
１Ｅ  記録装置
１Ｆ  入力部
１Ｇ  電源ＳＷ
１Ｈ  ＲＯＭ
１Ｉ  接続部
１Ｊ  記憶媒体装着部
２  印刷装置
２Ａ  ＣＰＵ
２Ｂ  ＲＯＭ
２Ｃ  ＲＡＭ
２Ｄ  操作部
２Ｅ  画像処理部
２Ｆ  プリンタ部
２Ｇ  接続部
２Ｈ  記憶媒体装着部
【図１】
2007104485.tif 000003
【図２】
2007104485.tif 000004
【図３】
2007104485.tif 000005
【図４】
2007104485.tif 000006
【図５】
2007104485.tif 000007
【図６】
2007104485.tif 000008
【図７】
2007104485.tif 000009